(57)【要約】【課題】バリア部材を有するカメラの小型化（薄型化）を図る。【解決手段】円柱状に形成された複数の電池（６）を、カメラ本体の前面に対して並べた状態で収納可能なカメラであって、カメラ本体の外装を構成する外装部材（２）と、外装部材に対して摺動可能であり、カメラ本体に設けられた光学部材の前面を開閉可能なバリア部材（１）と、バリア部材の外装部材からの抜けを阻止して、バリア部材とともに移動可能な摺動部材（７）とを有し、摺動部材が、カメラ本体内に収納された複数の電池の周面と、外装部材とによって形成された領域内に配置されている。【選択図】  図２
2004317876.tif 000002
【特許請求の範囲】
【請求項１】
円柱状に形成された複数の電池を、カメラ本体の前面に対して並べた状態で収納可能なカメラであって、
前記カメラ本体の外装を構成する外装部材と、
この外装部材に対して摺動可能であり、前記カメラ本体に設けられた光学部材の前面を開閉可能なバリア部材と、
このバリア部材の前記外装部材からの抜けを阻止して、前記バリア部材とともに移動可能な摺動部材とを有し、
前記摺動部材が、前記カメラ本体内に収納された複数の電池の周面と、前記外装部材とによって形成された領域内に配置されていることを特徴とするカメラ。
【発明の詳細な説明】
【０００１】
【発明の属する技術分野】
本発明は、撮影レンズ等の光学部材を保護するためのバリア部材を備えたカメラに関するものである。
【０００２】
【従来の技術】
カメラ本体の前面に配置された光学部材（例えば、レンズ鏡筒）を保護するためのレンズバリアを備え、レンズバリアがカメラ本体の前面をスライド移動することによって光学部材を開閉するカメラがある（例えば、特許文献１参照）。
【０００３】
このカメラにおいては、レンズバリアをカメラ本体に保持させるため（レンズバリアのカメラ本体に対する抜けを阻止するため）に、カメラ本体内においてレンズバリアに固定され、レンズバリアとともに移動可能な摺動部材が必要となる。
【０００４】
一方、電池を収納するための電池室がユニット化された状態でカメラ本体に固定されているものがある。この電池室ユニットには、電池に接触するバネ、基板類、配線などの様々な部品が取り付けられている。ここで、レンズバリア機構をを電池室ユニットに固定したものがある（例えば、特許文献２参照）。
【０００５】
【特許文献１】
特開２００１−３１８４０５号公報
【特許文献２】
特開平１１−２６１８５８号公報
【０００６】
【発明が解決しようとする課題】
しかし、カメラ本体にレンズバリア機構（摺動部材等）を設ける場合、このレンズバリア機構の配置スペースを確保しなければならず、このスペースの分だけカメラが大型化してしまう（カメラ本体の厚みが厚くなってしまう）。また、カメラの大型化を防止するために摺動部材を小型化すれば、レンズバリアバリア機構の強度が弱くなってしまう。
【０００７】
一方、電池室ユニットにレンズバリア機構を取り付けた構成では、レンズバリア機構の位置調整が困難となる。
【０００８】
【課題を解決するための手段】
本発明は、円柱状に形成された複数の電池を、カメラ本体の前面に対して並べた状態で収納可能なカメラであって、カメラ本体の外装を構成する外装部材と、この外装部材に対して摺動可能であり、カメラ本体に設けられた光学部材の前面を開閉可能なバリア部材と、このバリア部材の外装部材からの抜けを阻止して、バリア部材とともに移動可能な摺動部材とを有し、摺動部材が、カメラ本体内に収納された複数の電池の周面と、外装部材とによって形成された領域内に配置されていることを特徴とする。
【０００９】
【発明の実施の形態】
（第１実施形態）
図３に本発明の第１実施形態であるカメラの正面図を示す。同図において、１はレンズバリア（バリア部材）であり、カメラ本体の外装を構成する外装部材２に対してカメラ本体の横方向（図３の左右方向）に移動可能な状態で取り付けられている。このレンズバリア１は、カメラ本体の横方向に移動することにより、レンズ鏡筒３の前面を開閉することができる。
【００１０】
２は外装部材であり、この内部には撮影を可能とするための各種の部材が配置されている。３は撮影レンズを備えたレンズ鏡筒であり、光軸方向に繰り出したり繰り込むことにより撮影光学系の焦点距離を変更することができる。このレンズ鏡筒３は、非撮影時にはカメラ本体（外装部材２）内に収納（沈胴）されるようになっている。
【００１１】
４は被写体を観察するためのファインダであり、５は被写体に照明光を照射するためのストロボである。
【００１２】
カメラ本体（外装部材２）の内部には電池室が形成されており、この電池室には後述するように円柱状に形成された電池６が収納可能となっている。この電池６は、カメラが動作する際の駆動源となる。電池室内に収納された電池６は、この長手方向がカメラ本体の横方向（図３の左右方向）となるように配置される。
【００１３】
図５にカメラ本体の縦断面における概略図を示す。同図において、外装部材２内に収納された２つの電池６と、外装部材２との間には、領域１２で示すスペース（デッドスペース）が生じる。本実施形態のカメラでは、後述するように領域１２内にレンズバリア機構の一部が配置されるようになっている。
【００１４】
図１はレンズバリア機構の分解斜視図であり、図２は本実施形態におけるカメラの縦断面図である。
【００１５】
これらの図において、７は摺動部材であり、ビス等によってレンズバリア１に固定されてレンズバリア１の外装部材２に対する抜けを阻止するとともに、レンズバリア１と一体的にカメラ本体の横方向に移動可能となっている。この摺動部材７の一方の面の中央には、長手方向に延びる突条部７ａが形成されている。
【００１６】
ここで、レンズバリア１の裏面には２つの凸部１ａが形成されており、これらの凸部１ａはそれぞれ、外装部材２に形成され、カメラ本体の横方向に延びる長穴部２ａにはまり込んでいる。そして、凸部１ａの先端が、ビス等によって摺動部材７の他方の面に固定されている。
【００１７】
これにより、レンズバリア１および摺動部材７は、外装部材２を挟んだ状態でカメラ本体に取り付けられることになり、図４の矢印Ａで示すようにカメラ本体の横方向において移動可能となる。
【００１８】
８は電池室の一部を構成する電池カバー（側壁部材）であり、図２に示すように電池６の外周に沿った形状に形成された曲面部８ａと、この曲面部８ａとの間に形成された平面部８ｂとを有している。この電池カバー８は、外装部材２に対して所定のスペース（領域１２に相当するスペース）を開けた状態で外装部材２の裏面に固定されている。
【００１９】
１１は基板であり、電池カバー８の平面部８ｂに固定されている。９、１０はそれぞれ、レンズバリア１の開閉状態を検出するための第１の検出スイッチ（検出手段）および第２の検出スイッチ（検出手段）であり、これらの検出スイッチ９、１０は、基板１１の表面における所定の位置に固定されている。
【００２０】
次に、上述した構成のカメラにおいて、レンズバリア１の開閉動作について説明する。
【００２１】
レンズバリア１がレンズ鏡筒３の前面から退避した状態（図３に示す開き状態）において、レンズバリア１を図３中右方向にスライド移動させると、レンズバリア１とともに摺動部材７が移動する。そして、レンズバリア１を所定量移動させると、摺動部材７の突条部７ａが、図６に示すように第１の検出スイッチ９のレバー部９ａを押し込む。
【００２２】
これにより、第１の検出スイッチ９がオン状態となり、この検出スイッチ９からの出力信号が基板１１を介してカメラ本体内に設けられた不図示の制御回路に入力される。制御回路は、第１の検出スイッチ９からの信号を受けることによって、カメラの電源をオフ状態とする。
【００２３】
このとき、レンズバリア１は、図８に示すように、レンズ鏡筒３の前面を覆った状態（開き状態）となる。ここで、レンズ鏡筒３は、レンズバリア１がレンズ鏡筒３の前面を覆う前に、予め光軸方向に繰り込んで沈胴状態となる。
【００２４】
一方、レンズバリア１を、図８に示す閉じ状態から図中左方向にスライド移動させると、摺動部材７がレンズバリア１とともに移動し、突条部７ａが図７に示すように、第２の検出スイッチ１０のレバー部１０ａを押し込む。
【００２５】
これにより、第２の検出スイッチ１０がオン状態となり、この検出スイッチ１０からの出力信号が基板１１を介してカメラ本体内に設けられた不図示の制御回路に入力される。制御回路は、第２の検出スイッチ１０からの信号を受けることによって、カメラの電源をオン状態とする。
【００２６】
このとき、レンズバリア１は、図３に示すようにレンズ鏡筒３の前面から退避した状態となっている。
【００２７】
本実施形態のカメラによれば、図２に示すように、レンズバリア機構の一部である摺動部材７、検出スイッチ９、１０および基板１１が、電池カバー８と外装部材２との間に形成されたスペース１２（デッドスペース）内に配置されている。
【００２８】
このように電池６と外装部材２との間に形成されたデッドスペースを利用してレンズバリア機構の一部を配置することにより、カメラ本体の厚みが厚くなるのを抑えてカメラの大型化を防止することができる。
【００２９】
しかも、本実施形態の構成では、スペース１２を利用して摺動部材７の大きさをある程度確保することができるため、摺動部材７が小型化することもなく、レンズバリア機構の強度が低下することもない。
【００３０】
また、本実施形態では、電池室の一部を構成する板状の電池カバー８を外装部材２に固定するだけで、レンズバリア機構を組み立てることができる。このため、従来技術のように電池室全体を構成する電池室ユニットにレンズバリア機構を取り付けた場合に比べて、カメラの製造段階におけるレンズバリア機構の位置調整を行いやすい。すなわち、検出スイッチ９、１０からレンズバリア１の位置に応じた信号が正常に出力されるようにレンズバリア機構の位置関係を調整することが容易となる。
【００３１】
なお、本実施形態では、レンズバリア１のスライド操作によってレンズ鏡筒３の前面を開閉するカメラについて説明したが、レンズ鏡筒３に加えてカメラ本体の前面に配置された光学部材（例えば、ファインダ対物窓や測光用の窓）をレンズバリアによって開閉するものであってもよい。
【００３２】
また、本実施形態では、突条部７ａが検出スイッチ９、１０のレバー部９ａ、１０ａを押し込むことによりレンズバリア１の開閉位置を検出する構成としているが、この構成に限るものではない。すなわち、レンズバリア１が開き位置および閉じ位置にあるときに互いに接触することで所定の信号を出力するようなスイッチ構成としたり、非接触の状態であってもレンズバリアが開き位置および閉じ位置にあるときに所定の信号を出力するような構成としてもよい。
【００３３】
（第２実施形態）
次に、本発明の第２実施形態であるカメラについて説明する。本実施形態におけるカメラの構成は、第１実施形態におけるカメラと概ね同様である。以下、第１実施形態と異なる部分について説明する。
【００３４】
図９に、レンズバリア１の裏面図を示す。レンズバリア１の裏面には、２つの凸部１ａと、２つの凸部１３が形成されている。
【００３５】
また、外装部材２には、各凸部１ａと係合し、カメラ本体の横方向に延びる２つの穴部２ａが形成されているとともに、２つの凸部１３と係合し、カメラ本体の横方向に延びる１つの溝部１４が形成されている。
【００３６】
本実施形態のカメラにおいても、レンズバリア１がカメラ本体の横方向にスライド移動することによって、レンズ鏡筒の前面を開閉することができるようになっている。
【００３７】
本実施形態では、２つの凸部１３を溝部１４に係合させ、レンズバリア１が移動する際に凸部１３を溝部１４に沿って移動させるようにすることで、レンズバリア１がスライド方向に対して傾くのを防止している。
【００３８】
一方、外装部材２の裏面には、図１１に示すように凸部２ｂが形成されており、この凸部２ｂは紙面に対して垂直方向に延びている。また、摺動部材７は、この凸部２ｂの外周に沿うようにコの字状に形成されており、紙面に対して垂直方向に延びている。
【００３９】
摺動部材７は、ビス等を介してレンズバリア１の凸部１ａに固定されており、レンズバリア１とともにカメラ本体の横方向に移動可能となっている。
【００４０】
ここで、レンズバリア１および摺動部材７がカメラ本体の横方向に移動する際に、摺動部材７が凸部２ｂに係合することによりレンズバリア１がスライド方向に対して傾くのを防止することができる。
【００４１】
本実施形態において、レンズバリア１の開閉状態を検出するための機構は第１実施形態と同様であり、レンズバリア１が閉じ状態にあるときに摺動部材７に当接する検出スイッチ（第１の検出スイッチ９に相当する）と、レンズバリア１が開き状態にあるときに摺動部材７に当接する検出スイッチ（第２の検出スイッチ１０に相当する）とで構成される。
【００４２】
本実施形態のカメラによれば、レンズバリア１がスライド方向と異なる方向の外力を受けた場合においても、凸部１３および溝部１４の係合作用や凸部２ｂおよび摺動部材７の係合作用によって、レンズバリア１がスライド方向に対して傾くのを防止することができる。
【００４３】
以上説明した各実施形態は、以下に示す各発明を実施した場合の一例でもあり、下記の各発明は上記各実施形態に様々な変更や改良が加えられて実施されるものである。
【００４４】
〔発明１〕  円柱状に形成された複数の電池を、カメラ本体の前面に対して並べた状態で収納可能なカメラであって、
前記カメラ本体の外装を構成する外装部材と、
この外装部材に対して摺動可能であり、前記カメラ本体に設けられた光学部材の前面を開閉可能なバリア部材と、
このバリア部材の前記外装部材からの抜けを阻止して、前記バリア部材とともに移動可能な摺動部材とを有し、
前記摺動部材が、前記カメラ本体内に収納された複数の電池の周面と、前記外装部材とによって形成された領域内に配置されていることを特徴とするカメラ。
【００４５】
上記発明１によれば、摺動部材を配置するスペースとして、電池の周面と外装部材とによって囲まれる領域（デッドスペース）を利用することにより、摺動部材を配置するためのスペースを別途設ける必要がなくなり、カメラ本体の大型化を防止（カメラ本体の厚みが厚くなるのを防止）することができる。
【００４６】
〔発明２〕  前記バリア部材の位置を検出するための検出手段を有しており、前記検出手段が、前記領域内に配置されていることを特徴とする前記発明１に記載のカメラ。
【００４７】
上記発明２においても、上記のデッドスペースを利用して検出手段を配置することにより、検出手段の配置スペースを別途設ける必要がなくなり、カメラの大型化を防止することができる。
【００４８】
〔発明３〕  前記バリア部材および前記摺動部材が、前記カメラ本体内に収納された電池の長手方向に沿って移動可能であることを特徴とする前記発明１又は２に記載のカメラ。
【００４９】
〔発明４〕  前記複数の電池を収納する電池収納室の一部を構成する側壁部材を有しており、
前記側壁部材および前記外装部材によって前記領域が形成されていることを特徴とする前記発明１に記載のカメラ。
【００５０】
〔発明５〕  前記バリア部材および前記外装部材のうち一方の部材に形成された凸部と、他方の部材に形成され、前記凸部と係合する凹部とを有し、
前記凸部および前記凹部の係合作用によって前記バリア部材の移動方向に対する傾きを阻止することを特徴とする前記発明１に記載のカメラ。
【００５１】
【発明の効果】
本発明によれば、バリア部材を備えたカメラの小型化（薄型化）を図ることができる。
【図面の簡単な説明】
【図１】レンズバリア機構の分解斜視図。
【図２】第１実施形態におけるカメラの縦断面図。
【図３】レンズバリアが開き状態にあるときのカメラの正面図。
【図４】レンズバリアおよび摺動部材の動作を説明するための図。
【図５】電池と外装部材との間に生じる空間の断面図。
【図６】レンズバリアが閉じ状態にあるときの検出機構を示す図。
【図７】レンズバリアが開き状態にあるときの検出機構を示す図。
【図８】レンズバリアが閉じ状態にあるときのカメラの正面図。
【図９】第２実施形態のカメラにおけるレンズバリアの裏面図。
【図１０】第２実施形態のカメラにおける外装部材の外観斜視図。
【図１１】第２実施形態のカメラの縦断面図。
【符号の説明】
１：レンズバリア
２：外装部材
３：レンズ鏡筒
４：ファインダ
５：ストロボ
６：電池
７：摺動部材
８：電池カバー
９：第１の検出スイッチ
１０：第２の検出スイッチ
１１：基板
１２：空間部
１３：凸部
１４：溝部
【図１】
2004317876.tif 000003
【図２】
2004317876.tif 000004
【図３】
2004317876.tif 000005
【図４】
2004317876.tif 000006
【図５】
2004317876.tif 000007
【図６】
2004317876.tif 000008
【図７】
2004317876.tif 000009
【図８】
2004317876.tif 000010
【図９】
2004317876.tif 000011
【図１０】
2004317876.tif 000012
【図１１】
2004317876.tif 000013